(57)【要約】【課題】木製構造部材と金属とを組み合わせた剛性の大きい安価な構造材を提供する。【解決手段】一方の木製構造部材２Ａ及び他方の木製構造部材２Ａと、互いに所定の間隔を隔てて対向する一方の木製構造部材の対向面２ａと他方の木製構造部材の対向面２ａとの間に設けられた金属板３と、一方の木製構造部材と金属板と他方の木製構造部材とを接合する接合手段とを備え、金属板３は、断面Ｔ字状のＴ形鋼３０の縦板３１により形成され、当該縦板３１の板面３１ａ，３１ｂと一方の木製構造部材の対向面及び他方の木製構造部材の対向面とが面接触し、かつ、一方の木製構造部材の対向面と直交して材軸方向に延長する一方の木製構造部材の外面（２ｔ又は２ｕ）及び他方の木製構造部材の対向面と直交して材軸方向に延長する他方の木製構造部材の外面（２ｔ又は２ｕ）とＴ形鋼３０の横板３２における縦板３１側の板面３２ａ，３２ａとが面接触した状態に設置された。【選択図】図１
2020147995.tif 000002
【特許請求の範囲】
【請求項１】
材軸方向と直交する断面が矩形状に形成された複数の木製構造部材が接合されて１つの木製構造部材の断面よりも大きい断面を持つように形成された構造材であって、
材軸方向に沿った対向面同士が所定の間隔を隔てて互いに対向するように配置された一方の木製構造部材及び他方の木製構造部材と、
互いに所定の間隔を隔てて対向する一方の木製構造部材の対向面と他方の木製構造部材の対向面との間に設けられた金属板と、
一方の木製構造部材と金属板と他方の木製構造部材とを接合する接合手段とを備え、
金属板は、断面Ｔ字状のＴ形鋼の縦板により形成され、当該縦板の板面と一方の木製構造部材の対向面及び他方の木製構造部材の対向面とが面接触し、かつ、一方の木製構造部材の対向面と直交して材軸方向に延長する一方の木製構造部材の外面及び他方の木製構造部材の対向面と直交して材軸方向に延長する他方の木製構造部材の外面とＴ形鋼の横板における縦板側の板面とが面接触した状態に設置されたことを特徴とする構造材。
【請求項２】
Ｔ形鋼は、構造材の互いに対向する一方の外面側と他方の外面側とにそれぞれ設置され、
一方のＴ形鋼は、横板が構造材の一方の外面と面接触して、縦板が一方の木製構造部材の対向面と他方の木製構造部材の対向面との間に挟まれた状態に設置され、
他方のＴ形鋼は、横板が構造材の他方の外面と面接触して、縦板が一方の木製構造部材の対向面と他方の木製構造部材の対向面との間に挟まれた状態に設置され、
一方のＴ形鋼の縦板の下端と他方のＴ形鋼の縦板の下端との間に間隔が設けられたことを特徴とする請求項１に記載の構造材。
【請求項３】
Ｔ形鋼は、構造材の互いに対向する一対の外面側のうちの一方の外面側にのみ設置され、
Ｔ形鋼は、横板が構造材の一方の外面と面接触して、縦板が一方の木製構造部材の対向面と他方の木製構造部材の対向面との間に挟まれた状態に設置され、
構造材の他方の外面側における一方の木製構造部材の対向面と他方の木製構造部材の対向面との間には板材が挟まれた状態に設置され、
Ｔ形鋼の縦板の下端と板材との間に間隔が設けられたことを特徴とする請求項１に記載の構造材。
【請求項４】
Ｔ形鋼の横板が一方の木製構造部材と他方の木製構造部材とに固定部材で固定されたことを特徴とする請求項１乃至請求項３のいずれか一項に記載の構造材。
【請求項５】
接合手段は、
一方の木製構造部材と金属板と他方の木製構造部材とに亘って連続するように設けられた連結軸挿入用貫通孔と、
連結軸挿入用貫通孔に挿入された連結軸と、
連結軸挿入用貫通孔の両端より突出する連結軸の両方の端部に形成されたねじ部にそれぞれ締結されて当該連結軸を連結軸挿入用貫通孔に固定するナットとで構成されたことを特徴とする請求項１乃至請求項４のいずれか一項に記載の構造材。
【発明の詳細な説明】
【技術分野】
【０００１】
本発明は、木製構造部材と金属とを組み合わせて構成された構造材に関する。
【背景技術】
【０００２】
木造建築において、柱や梁等の構造材を、ＣＬＴ（Cross
Laminated Timber（直交集成板））又は集成材等の木材だけで構成した木製構造部材の場合、木材としてのひずみや圧縮など脆弱な一面があるため、ロングスパン等を念頭にした長尺かつ大断面の構造材を形成することが難しい。
そこで、木製構造部材と金属を組み合わせて剛性の大きい長尺かつ大断面の構造材を形成することが知られている。例えば、集成材とＨ形鋼等の鋼材とを組み合わせて構成された構造材が知られている（非特許文献１参照）。
【先行技術文献】
【非特許文献】
【０００３】
【非特許文献１】「木質ハイブリッド耐火建築物主要構造部の納まり」、平成２４年３月、日本集成材工業協同組合、URL/http://www.syuseizai.com
【発明の概要】
【発明が解決しようとする課題】
【０００４】
しかしながら、上述した集成材と鋼材とを組み合わせた構造材では、例えば、スパンの長い梁を形成する場合、梁せいも高くする必要があることから、鋼材もせいの高い鋼材を使用しなくてはならない。
即ち、上述した集成材と鋼材とを組み合わせた構造材では、梁や柱等の構造材の表面側を形成する集成材の内側に鋼材を組み込むための凹部を形成しなければならないため、製造（加工）コストが高くなる。
また、上述した集成材と鋼材とを組み合わせた構造材では、梁を形成する場合には、要求される梁長、梁の断面寸法（梁幅、梁せい）に対応して様々な断面寸法の鋼材が必要となり、また、柱を形成する場合には、要求される柱長、柱の断面寸法に対応して様々な断面寸法の鋼材が必要となるため、部品コストが高くなる。
つまり、上述した集成材と鋼材とを組み合わせた構造材は、コストが高くなってしまうという課題があった。
本発明は、木製構造部材と金属とを組み合わせた剛性の大きい安価な構造材を提供するものである。
【課題を解決するための手段】
【０００５】
本発明に係る構造材は、材軸方向と直交する断面が矩形状に形成された複数の木製構造部材が接合されて１つの木製構造部材の断面よりも大きい断面を持つように形成された構造材であって、材軸方向に沿った対向面同士が所定の間隔を隔てて互いに対向するように配置された一方の木製構造部材及び他方の木製構造部材と、互いに所定の間隔を隔てて対向する一方の木製構造部材の対向面と他方の木製構造部材の対向面との間に設けられた金属板と、一方の木製構造部材と金属板と他方の木製構造部材とを接合する接合手段とを備え、金属板は、断面Ｔ字状のＴ形鋼の縦板により形成され、当該縦板の板面と一方の木製構造部材の対向面及び他方の木製構造部材の対向面とが面接触し、かつ、一方の木製構造部材の対向面と直交して材軸方向に延長する一方の木製構造部材の外面及び他方の木製構造部材の対向面と直交して材軸方向に延長する他方の木製構造部材の外面とＴ形鋼の横板における縦板側の板面とが面接触した状態に設置されたことを特徴とするので、木製構造部材と金属とを組み合わせた剛性の大きい安価な構造材を提供できる。
また、Ｔ形鋼は、構造材の互いに対向する一方の外面側と他方の外面側とにそれぞれ設置され、一方のＴ形鋼は、横板が構造材の一方の外面と面接触して、縦板が一方の木製構造部材の対向面と他方の木製構造部材の対向面との間に挟まれた状態に設置され、他方のＴ形鋼は、横板が構造材の他方の外面と面接触して、縦板が一方の木製構造部材の対向面と他方の木製構造部材の対向面との間に挟まれた状態に設置され、一方のＴ形鋼の縦板の下端と他方のＴ形鋼の縦板の下端との間に間隔が設けられたことを特徴とするので、断面寸法の一定なＴ形鋼を用いて、間隔を変えることで、様々な断面寸法の構造材を形成できるようになるとともに、構造材の木製構造部材が一方のＴ形鋼と他方のＴ形鋼とによって外側から拘束された構成となり、より剛性の高い構造材を提供できる。
また、Ｔ形鋼は、構造材の互いに対向する一対の外面側のうちの一方の外面側にのみ設置され、Ｔ形鋼は、横板が構造材の一方の外面と面接触して、縦板が一方の木製構造部材の対向面と他方の木製構造部材の対向面との間に挟まれた状態に設置され、構造材の他方の外面側における一方の木製構造部材の対向面と他方の木製構造部材の対向面との間には板材が挟まれた状態に設置され、Ｔ形鋼の縦板の下端と板材との間に間隔が設けられたことを特徴とするので、断面寸法の一定なＴ形鋼を用いて、間隔を変えることで、様々な断面寸法の構造材を形成できるようになるとともに、Ｔ形鋼の使用量を少なくできるので、様々な断面寸法の構造材をより安価に提供できるようになる。
また、Ｔ形鋼の横板が一方の木製構造部材と他方の木製構造部材とに固定部材で固定されたことを特徴とするので、一方の木製構造部材とＴ形鋼と他方の木製構造部材とをより強固に一体化できるようになり、構造材の剛性をより向上させることができる。
また、接合手段は、一方の木製構造部材と金属板と他方の木製構造部材とに亘って連続するように設けられた連結軸挿入用貫通孔と、連結軸挿入用貫通孔に挿入された連結軸と、連結軸挿入用貫通孔の両端より突出する連結軸の両方の端部に形成されたねじ部にそれぞれ締結されて当該連結軸を連結軸挿入用貫通孔に固定するナットとで構成されたことを特徴とするので、一方の木製構造部材と金属板と他方の木製構造部材とを強固に一体化できるようになり、剛性の高い構造材を提供できる。
【図面の簡単な説明】
【０００６】
【図１】実施形態１の構造材の断面図。
【図２】実施形態１の構造材の断面図。
【図３】実施形態１の構造材の分解斜視図。
【図４】実施形態１の構造材の斜視図。
【図５】実施形態１の構造材の斜視図。
【図６】実施形態２の構造材の断面図。
【図７】実施形態２の構造材の断面図。
【図８】実施形態３の構造材の断面図。
【図９】実施形態４の構造材の断面図。
【発明を実施するための形態】
【０００７】
実施形態１
図１に示すように、実施形態１に係る梁又は柱等に使用される構造材１は、一方の木製構造部材２Ａと、他方の木製構造部材２Ｂと、互いに所定の間隔を隔てて対向する一方の木製構造部材２Ａの対向面２ａと他方の木製構造部材２Ｂの対向面２ａとの間に設けられた金属板３と、一方の木製構造部材２Ａと金属板３と他方の木製構造部材２Ｂとに亘って連続するように設けられた複数の連結軸挿入用貫通孔４，４…と、複数の連結軸挿入用貫通孔４，４…にそれぞれ挿入された複数の連結軸５，５…と、連結軸５を連結軸挿入用貫通孔４に固定するナット６，６…とを備えて構成される。
【０００８】
木製構造部材２Ａ，２Ｂは、材軸方向（長手方向）と直交する断面が矩形状に形成された長尺な木製構造部材であり、ＣＬＴ（Cross Laminated Timber（直交集成板））又は集成材により形成される。
【０００９】
互いに所定の間隔を隔てて対向する木製構造部材２Ａ，２Ｂの対向面２ａ，２ａは、図３に示すように、材軸方向に沿った辺となる互いに平行な辺２ｂ，２ｂと、当該辺２ｂ，２ｂの一端同士を繋ぐ辺２ｃと、当該辺２ｂ，２ｂの他端同士を繋ぐ辺（図示せず）とで囲まれた面である。
【００１０】
金属板３は、縦板３１と横板３２とを備えた断面Ｔ字状のＴ形鋼３０の縦板３１により形成される。
【００１１】
例えば、図１に示すように、構造材１が梁として使用される場合、Ｔ形鋼３０は、梁の上面２ｔ側及び下面２ｕ側にそれぞれ上下対称な状態に設置される。
即ち、梁（構造材１）の上面２ｔ側に設置される一方のＴ形鋼３０は、縦板３１の一方の板面３１ａと一方の木製構造部材２Ａの対向面２ａとが面接触するとともに、縦板３１の他方の板面３１ｂと他方の木製構造部材２Ｂの対向面２ａとが面接触し、かつ、一方の木製構造部材２Ａの対向面２ａと直交して材軸方向に延長する一方の木製構造部材２Ａの外面としての上面２ｔ及び他方の木製構造部材２Ｂの対向面２ａと直交して材軸方向に延長する他方の木製構造部材２Ｂの外面としての上面２ｔと横板３２における縦板３１側の板面３２ａ，３２ａ（縦板３１と横板３２との境界部で区切られた板面）とが面接触した状態に設置される。
また、同様に、梁（構造材１）の下面２ｕ側に設置される他方のＴ形鋼３０は、縦板３１の一方の板面３１ａと一方の木製構造部材２Ａの対向面２ａとが面接触するとともに、縦板３１の他方の板面３１ｂと他方の木製構造部材２Ｂの対向面２ａとが面接触し、かつ、一方の木製構造部材２Ａの対向面２ａと直交して材軸方向に延長する一方の木製構造部材２Ａの外面としての下面２ｕ及び他方の木製構造部材２Ｂの対向面２ａと直交して材軸方向に延長する他方の木製構造部材２Ｂの外面としての下面２ｕと横板３２における縦板３１側の板面３２ａ，３２ａ（縦板３１と横板３２との境界部で区切られた板面）とが面接触した状態に設置される。
また、梁の上面２ｔ側に設置される一方のＴ形鋼３０の縦板３１の下端３１ｅと梁の下面２ｕ側に設置されるＴ形鋼３０の縦板３１の下端３１ｅとが間隔Ｓを隔てて離間するように構成される。
即ち、構造材１が梁である場合、Ｔ形鋼３０，３０は、梁の上面２ｔ側及び下面２ｕ側にそれぞれ上下対称となるように設置され、梁の上面２ｔ側に設置される一方のＴ形鋼３０の縦板３１の下端３１ｅと梁の下面２ｕ側に設置される他方のＴ形鋼３０の縦板３１の下端３１ｅとの間に間隔Ｓが設けられた構成とした。
従って、断面寸法の一定なＴ形鋼３０，３０を用いて、間隔Ｓを変えることで、様々な断面寸法（梁せい寸法）の梁を形成できるようになるので、様々な断面寸法（梁せい寸法）の梁を安価に提供できるようになる。
【００１２】
また、図示しないが、構造材１が柱である場合、Ｔ形鋼３０は、柱の互いに対向する一対の側面（外面）側にそれぞれ上下対称となるように設置され、柱の一方の側面側に設置される一方のＴ形鋼３０の縦板３１の下端３１ｅと柱の他方の側面側に設置される他方のＴ形鋼３０の縦板３１の下端３１ｅとの間に間隔Ｓが設けられた構成とした。
従って、断面寸法の一定なＴ形鋼３０，３０を用いて、間隔Ｓを変えることで、様々な断面寸法の柱を形成できるようになるので、様々な断面寸法の柱を安価に提供できるようになる。
【００１３】
即ち、構造材１は、Ｔ形鋼３０が、構造材１の互いに対向する一方の外面側と他方の外面側とにそれぞれ設置され、一方のＴ形鋼３０は、横板３２が構造材１の一方の外面（例えば図１の上面２ｔ）と面接触して、縦板３１が一方の木製構造部材２Ａの対向面２ａと他方の木製構造部材２Ｂの対向面２ａとの間に挟まれた状態に設置され、他方のＴ形鋼３０は、横板３２が構造材１の他方の外面（例えば図１の下面２ｕ）と面接触して、縦板３１が一方の木製構造部材２Ａの対向面２ａと他方の木製構造部材２Ｂの対向面２ａとの間に挟まれた状態に設置され、一方のＴ形鋼３０の縦板３１の下端３１ｅと他方のＴ形鋼３０の縦板３１の下端３１ｅとの間に間隔Ｓが設けられた構成としたので、断面寸法の一定なＴ形鋼３０，３０を用いて、間隔Ｓを変えることで、様々な断面寸法の構造材１を形成できるようになり、様々な断面寸法の構造材１を安価に提供できるようになる。
【００１４】
図１，図３に示すように、連結軸挿入用貫通孔４は、一方の木製構造部材２Ａに形成された貫通孔４Ａと、他方の木製構造部材２Ｂに形成された貫通孔４Ｂと、Ｔ形鋼３０の縦板３１に形成された貫通孔４Ｃとで構成される。
即ち、連結軸挿入用貫通孔４は、Ｔ形鋼３０の縦板３１と、縦板３１の一方の板面３１ａと対向面２ａとが面接触するように設置された一方の木製構造部材２Ａと、縦板３１の他方の板面３１ｂと対向面２ａとが面接触するように設置された他方の木製構造部材２Ｂとに連続するように形成された貫通孔４Ａ，４Ｃ，４Ｂとで構成される。
【００１５】
連結軸挿入用貫通孔４の孔径は、連結軸５を挿入可能なように、連結軸５の軸径に対応して当該軸径より若干大きい寸法に形成されている。
【００１６】
連結軸挿入用貫通孔４の両端側には、ナット６の径に対応して当該ナット６の径より若干大きい寸法の径に形成された大径部４１，４１を備えている。
一方の大径部４１は、連結軸挿入用貫通孔４の一端開口より延長して一方の木製構造部材２Ａの対向面２ａと対向する外面２ｆに開口する大径孔に形成される。
同様に、他方の大径部４１は、連結軸挿入用貫通孔４の他端開口より延長して他方の木製構造部材２Ｂの対向面２ａと対向する外面２ｆに開口する大径孔に形成される。
【００１７】
連結軸５は、連結軸挿入用貫通孔４の長さよりも長く、かつ、構造材１の幅寸法Ｘよりも短い長さに形成され、連結軸挿入用貫通孔４を貫通して当該連結軸挿入用貫通孔４の両端よりそれぞれ大径部４１，４１に突出する両端部は、ナット６が螺着されるねじ部５１，５１に形成されている。
【００１８】
即ち、一方の木製構造部材２Ａの対向面２ａと他方の木製構造部材２Ｂの対向面２ａとの間に、これら対向面２ａ，２ａとＴ形鋼３０の縦板３１の板面３１ａ，３１ｂとを面接触させるとともに、貫通孔４Ａ，４Ｃ，４Ｂの中心軸を一致させて連結軸挿入用貫通孔４を形成するように、一方の木製構造部材２Ａと他方の木製構造部材２ＢとＴ形鋼３０とを位置決めした後、連結軸５を連結軸挿入用貫通孔４に挿入し、連結軸挿入用貫通孔４の両端側に位置される大径部４１，４１にそれぞれナット６を挿入して当該ナット６を連結軸５の端部のねじ部５１に螺着して締結することにより、一方の木製構造部材２Ａと金属板３と他方の木製構造部材２Ｂとが接合される。
【００１９】
つまり、実施形態１による構造材１では、一方の木製構造部材２Ａと金属板３と他方の木製構造部材２Ｂとに亘って連続するように設けられた複数の連結軸挿入用貫通孔４，４…と、複数の連結軸挿入用貫通孔４，４…にそれぞれ挿入された複数の連結軸５，５…と、連結軸挿入用貫通孔４の両端より突出する連結軸５の両方の端部に形成されたねじ部５１，５１にそれぞれ締結されて当該連結軸５を連結軸挿入用貫通孔４に固定するナット６とにより、一方の木製構造部材２Ａと金属板３と他方の木製構造部材２Ｂとを接合する接合手段が構成される。当該接合手段によって、一方の木製構造部材２Ａと金属板３と他方の木製構造部材２Ｂとを強固に一体化できるようになり、剛性の高い構造材１を提供できるようになる。
【００２０】
さらに、Ｔ形鋼３０の横板３２には、固定部材としてのビス７を貫通させるビス貫通孔７１が形成され、ビス７をビス貫通孔７１に挿入して、Ｔ形鋼３０の横板３２を一方の木製構造部材２Ａ、及び、他方の木製構造部材２Ｂに固定するようにビス７を締結することにより、一方の木製構造部材２ＡとＴ形鋼３０と他方の木製構造部材２Ｂとをより強固に一体化できるようになり、構造材１の剛性をより向上させることができる。
【００２１】
以上により、一方の木製構造部材２ＡとＴ形鋼３０，３０と他方の木製構造部材２Ｂとが、連結軸挿入用貫通孔４に挿入されてナット６で固定される連結軸５によって連結されて構成された構造材１、即ち、複数の木製構造部材２Ａ，２Ｂと金属板３とを組み合わせて構成された剛性の大きい長尺かつ大断面の安価な構造材１が得られる。
即ち、複数の木製構造部材２Ａ，２Ｂと金属板３とを組み合わせた剛性の大きい安価な構造材１を提供できる。
【００２２】
実施形態１に係る構造材１では、複数の木製構造部材の内側に鋼材を組み込むための凹部を形成する必要はなく、連結軸挿入用貫通孔４を形成するだけであるので、上述した集成材と鋼材とを組み合わせた従来の構造材と比べて、製造（加工）コストを安くできる。
また、実施形態１に係る構造材１では、同じ断面寸法のＴ形鋼３０，３０を用いて、様々な断面寸法の構造材１を形成することが可能となり、構造材１の断面寸法に応じて様々な寸法の鋼材が必要となることがないので、上述した集成材と鋼材とを組み合わせた従来の構造材と比べて、部品コストを安くできる。
即ち、実施形態１によれば、木製構造部材と金属とを組み合わせた剛性の大きい耐火性を有した構造材１、例えば、長尺かつ大断面の梁や柱等の構造材１を、従来と比べて格段に安価に提供できるようになる。
【００２３】
また、実施形態１に係る構造材１では、Ｔ形鋼３０が、構造材１の互いに対向する一方の外面側と他方の外面側とにそれぞれ設置され、一方のＴ形鋼３０の横板３２が構造材１の一方の外面と面接触するとともに、他方のＴ形鋼３０の横板３２が構造材１の他方の外面と面接触した状態で、各Ｔ形鋼３０，３０が木製構造部材２Ａ，２Ｂに固定された構成としたので、構造材１の木製構造部材２Ａ，２Ｂが一方のＴ形鋼３０と他方のＴ形鋼３０とによって外側から拘束された構成となり、より剛性の高い構造材１を提供できる。
【００２４】
尚、実施形態１に係る構造材１は、図２に示すように、連結軸挿入用貫通孔４の両端側に大径部４１，４１を設けずに、連結軸５の両端のねじ部５１，５１を一方の木製構造部材２Ａの外面２ｆ及び他方の木製構造部材２Ｂの外面２ｆより外側に突出させて、ねじ部５１に螺着したナット６を外面２ｆに締結することで、複数の木製構造部材２Ａ，２Ｂと金属板３とを接合した構成としてもよい。
【００２５】
また、実施形態１に係る構造材１は、図４に示すように、構造材１の互いに対向する一方の外面側と他方の外面側とにそれぞれ設けられたＴ形鋼３０，３０が、一方の木製構造部材２Ａ及び他方の木製構造部材２Ｂの材軸方向に沿って間欠的に設けられた構成としても良いし、あるいは、図５に示すように、構造材１の互いに対向する一方の外面側と他方の外面側とにそれぞれ設けられたＴ形鋼３０，３０が、一方の木製構造部材２Ａ及び他方の木製構造部材２Ｂの材軸方向に沿って連続して設けられた構成としても良い。
【００２６】
また、実施形態１に係る構造材１では、図２に示すように、Ｔ形鋼３０として、縦板３１の高さ寸法（即ち、横板３２における縦板３１側の板面３２ａから縦板３１の下端３１ｅまでの縦板３１の突出長さ）３１Ｈが、木製構造部材２Ａ，２Ｂの対向面２ａにおける材軸方向と直交する方向の長さ寸法２Ｈの長さの１／２よりも短いものを用いたことにより、一方のＴ形鋼３０の縦板３１の下端３１ｅと他方のＴ形鋼３０の縦板３１の下端３１ｅとの間に間隔Ｓが設けられた構成となり、断面寸法の一定なＴ形鋼３０を用いて、間隔Ｓを変えることで、様々な断面寸法の構造材１を形成できるようになる。
従って、Ｔ形鋼３０の材料費を抑制できて、様々な断面寸法の構造材１を安価に提供できるようになる。
【００２７】
実施形態２
実施形態１に係る構造材１では、一方の木製構造部材２Ａ及び他方の木製構造部材２Ｂの上下側にそれぞれＴ形鋼３０，３０を設けた構成としたが、図６，図７に示すように、一方の木製構造部材２Ａ及び他方の木製構造部材２Ｂの上下側のいずれか一方にＴ形鋼３０を設け、他方側には、一方の木製構造部材２Ａの対向面２ａと他方の木製構造部材２Ｂの対向面２ａとに挟み込まれた状態に固定される板材８を備えた構成の構造材１とした。
【００２８】
即ち、実施形態２に係る構造材１は、Ｔ形鋼３０が、構造材１の互いに対向する一対の外面側のうちの一方の外面（例えば図６の上面２ｔ、あるいは、図７の下面２ｕ）側にのみ設置され、Ｔ形鋼３０は、横板３２が構造材１の一方の外面と面接触して縦板３１が一方の木製構造部材２Ａの対向面２ａと他方の木製構造部材２Ｂの対向面２ａとの間に挟まれた状態に設置され、構造材１の他方の外面（例えば図６の下面２ｕ、あるいは、図７の上面２ｔ）側における一方の木製構造部材２Ａの対向面２ａと他方の木製構造部材２Ｂの対向面２ａとの間には板材８が挟まれた状態に設置され、Ｔ形鋼３０の縦板３１の下端３１ｅと板材８との間に間隔Ｓが設けられた構成とした。
尚、板材８の材質は特に限定されず、例えば、木板、金属板、樹脂板等により形成された、縦板３１の板厚と同じ板厚の平板を用いればよい。
また、一方の木製構造部材２Ａと板材８と他方の木製構造部材２Ｂとの接合は、上述と同様に、一方の木製構造部材２Ａと板材８と他方の木製構造部材２Ｂとに連続するように形成された貫通孔４Ａ，４Ｄ，４Ｂとで構成された連結軸挿入用貫通孔４Ｘに連結軸５を挿入してナット６で固定すればよい。
実施形態２の構造材１によれば、実施形態１の構造材１と同様に、断面寸法の一定なＴ形鋼３０を用いて、間隔Ｓを変えることで、様々な断面寸法の構造材１を形成できるようになるとともに、Ｔ形鋼３０の使用量を少なくできるので、様々な断面寸法の構造材１をより安価に提供できるようになる。
【００２９】
実施形態３
図８に示すように、一方の木製構造部材２Ａの外面にさらに木製構造部材２Ｘを１つ以上連結するとともに、他方の木製構造部材２Ｂの外面にさらに木製構造部材２Ｙを１つ以上連結することにより、さらに、断面を大きくした構成の構造材１とした。
この場合、木製構造部材２Ｘ，２ＡとＴ形鋼３０の縦板３１（金属板３）と木製構造部材２Ｂ，２Ｙに連続するように形成された貫通孔４Ａ，４Ｅ，４Ｃ，４Ｅ，４Ｂとで構成された連結軸挿入用貫通孔４Ｙに連結軸５を挿入してナット６で固定すればよい。
実施形態３の構造材１によれば、木製構造部材を追加して長さの長い連結軸５を使用することによって、より大断面の構造材１を提供できるようになる。
【００３０】
実施形態４
図９に示すように、一方の木製構造部材２Ａの上面（外面）２ｔ及び他方の木製構造部材２Ｂの上面（外面）２ｔに露出したＴ形鋼３０の横板３２を覆うとともに、一方の木製構造部材２Ａの下面（外面）２ｕ及び他方の木製構造部材２Ｂの下面（外面）２ｕに露出したＴ形鋼３０の横板３２を覆い、さらに、一方の木製構造部材２Ａの外面２ｆ及び他方の木製構造部材２Ｂの外面２ｆに開口する大径部４１の開口を塞ぐようにした構成の構造材１とした。
即ち、木製構造部材２Ａの外面及び他方の木製構造部材２Ｂの外面に露出したＴ形鋼３０の横板３２の左右の端面の横に設置される端面覆い板９と、木製構造部材２Ａの外面及び他方の木製構造部材２Ｂの外面に露出したＴ形鋼３０の横板３２の板面上に設置される板面覆い板１０と、大径部４１の開口を塞ぐ蓋板１１とを備えた構成とした。
この場合、例えば、図９に示すように、端面覆い板９と板面覆い板１０とが例えばビス７により木製構造部材２Ａ及び他方の木製構造部材２Ｂに固定され、蓋板１１が大径部４１の開口に嵌め込まれた状態に接着固定された構成とすればよい。
当該構成では、端面覆い板９と板面覆い板１０と蓋板１１とを木材で構成することにより、外観を木の平面に形成することができる構造材１を提供できる。
【００３１】
尚、各実施形態において、接合手段は、一方の木製構造部材２Ａと金属板３と他方の木製構造部材２Ｂとに亘って連続するように設けられた図外の複数のドリフトピン嵌入用貫通孔と、複数のドリフトピン嵌入用貫通孔にそれぞれ嵌合されることによって、一方の木製構造部材２Ａと金属板３と他方の木製構造部材２Ｂとを接合する図外の複数のドリフトピンとで構成してもよい。
【００３２】
また、接合手段は、一方の木製構造部材２Ａと金属板３と他方の木製構造部材２Ａとを接合する接着剤で構成してもよい。
【００３３】
また、実施形態２においては、接合手段は、一方の木製構造部材２Ａと板材８と他方の木製構造部材２Ｂとに亘って連続するように設けられた図外の複数のドリフトピン嵌入用貫通孔と、複数のドリフトピン嵌入用貫通孔にそれぞれ嵌合されることによって、一方の木製構造部材と金属板と他方の木製構造部材とを接合する図外の複数のドリフトピンとで構成してもよい。
また、実施形態２においては、接合手段は、一方の木製構造部材２Ａと板材８と他方の木製構造部材２Ｂとを接合する接着剤で構成してもよい。
【００３４】
また、各実施形態においては、接着剤を併用して、連結軸挿入用貫通孔と連結軸とを接着したり、金属板と木製構造部材とを接着した構成としたり、あるいは、実施形態２において、接着剤を併用して、金属板と板材とを接着した構成としたり、あるいは、実施形態３において、接着剤を併用して、木製構造部材同士を接着した構成としたり、あるいは、実施形態４において、接着剤を併用して、端面覆い板と板面覆い板と木製構造部材とを接着した構成とすれば、各部材がより強固に接合された剛性の高い構造材１を提供できる。また、間隔Ｓに接着剤を充填するようにしてもよい。
【００３５】
また、各実施形態では、ＣＬＴ又は集成材により形成された木製構造部材を用いた例を示したが、無垢材により形成された木製構造部材を用いてもよい。
【００３６】
また、各実施形態では、Ｔ形鋼３０として、縦板３１の高さ寸法３１Ｈが、木製構造部材２Ａ，２Ｂの対向面２ａにおける材軸方向と直交する方向の長さ寸法２Ｈの長さの１／２よりも短いＴ形鋼３０を用いた例を示したが、縦板３１の高さ寸法３１Ｈが、木製構造部材２Ａ，２Ｂの対向面２ａにおける材軸方向と直交する方向の長さ寸法２Ｈの長さの１／２よりも長いＴ形鋼３０を用いてもよい。例えば、縦板３１の高さ寸法３１Ｈが、木製構造部材２Ａ，２Ｂの対向面２ａにおける材軸方向と直交する方向の長さ寸法２Ｈよりも若干短いＴ形鋼３０を用いても良い。
【符号の説明】
【００３７】
１  構造材、２Ａ  一方の木製構造部材、２Ｂ  一方の木製構造部材、３  金属板、
４  連結軸挿入用貫通孔、２ａ  対向面、２ｔ  上面（直交面）、
２ｕ  下面（直交面）、５  連結軸、６  ナット、７  ビス（固定部材）、
３０  Ｔ形鋼、３１  縦板（金属板）、３１ａ，３１ｂ  縦板の板面、
３２ａ  横板における縦板側の板面、３１ｅ  縦板の下端、５１  ねじ部、Ｓ  間隔。
【図１】
2020147995.tif 000003
【図２】
2020147995.tif 000004
【図３】
2020147995.tif 000005
【図４】
2020147995.tif 000006
【図５】
2020147995.tif 000007
【図６】
2020147995.tif 000008
【図７】
2020147995.tif 000009
【図８】
2020147995.tif 000010
【図９】
2020147995.tif 000011